【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  所定の間隔で反復されるデータサンプルを有する伝送データサンプル・ストリーム信号の中に、フレーム同期の開始点が位置するような、ＯＦＤＭチャネル用フレーム同期方法であって、
ａ）減算窓関数によって定義される所定の数のデータサンプルにより離れている、前記伝送データサンプル・ストリーム信号における異なったフレーム中の２点から取り出したデータサンプルを減算するステップと、
ｂ）少なくとも１つのサンプルに相当するインクリメント値をもって、前記減算窓関数をインクリメントするステップと、
ｃ）前記２点から取り出した実質的に同一であるデータサンプルに相当する、その減算結果の最小値が検出されるまで前記のステップａ）およびｂ）を繰り返すステップと、
ｄ）前記ステップc)の結果にもとづいて、前記フレーム同期の開始点を得るステップと、を備えるフレーム同期方法。
【請求項２】  前記伝送データサンプル・ストリーム信号は、交互に配置された参照フレームの連続体と情報フレームの連続体を有する、請求項１に記載のフレーム同期方法。
【請求項３】  前記参照フレーム連続体は、連続する３つの参照フレームを有しており、各々の当該参照フレームは同一のデータを有している、請求項２に記載のフレーム同期方法。
【請求項４】  前記参照フレーム及び前記情報フレームは各々、同一な第１および第２のデータ・セグメントからなる個別の循環プレフィックスを有しており、前記第１のデータ・セグメントは前記フレームの有用データ部の一部をなすものであって、コピーされて前記有用データ部に付け加えられることで前記第２のデータ・セグメントが作られること特徴とする、請求項３に記載のフレーム同期方法。
【請求項５】  フレーム同期開始点を概算するために参照フレームの検索を行う構成において、
前記ステップａ）は、前記減算窓関数で定義されるフレーム総数だけ離れている前記２点から取り出した前記データサンプルについて、第１の減算を行うステップを有し、
前記ステップｃ）は、前記参照フレーム連続体の中の最初の参照フレームの始めから前記参照フレーム連続体の少なくとも２番目の参照フレームまでの範囲を含む一連のデータサンプルについて前記第１の減算を実行した結果である、前記最小値の立ち下がりエッジを検出するステップを有し、前記最小値は前記立ち下がりエッジで始まり立ち上がりエッジで終わるものであり、
前記ステップｄ）は、前記フレーム同期の開始点の位置を、前記立ち下がりエッジの位置である、と概算するステップを備えている、請求項４に記載のフレーム同期方法。
【請求項６】  更に、
ｅ）別種減算窓関数によって定義された前記有用データ部の長さだけ離れている、１つのフレーム内の２点から取り出したデータサンプルについて、第２の減算を行うステップと、
ｆ）少なくとも１つのサンプルに相当するインクリメント値をもって、前記別種減算窓関数をインクリメントするステップと、
ｇ）前記２点から取り出した実質的に同一であるデータサンプルに相当するその減算結果の最小値が検出されるまで、前記ステップｅ）およびｆ）を繰り返すステップと、
ｈ）前記ステップｇ）において検出された前記最小値の正確な位置を、正確なフレーム同期開始点であるものとして得るステップと、を備えている請求項５に記載のフレーム同期方法。
【請求項７】  前記伝送データサンプル・ストリーム信号の中の前記フレーム同期開始点の位置を概算するためにフレーム同期が行われる構成において、前記伝送データサンプル・ストリーム信号はＯＦＤＭフレームを有しており、
前記ステップａ）は、前記減算窓関数で定義されるフレーム総数だけ離れている前記２点から取り出した前記データサンプルについて、第１の減算を行うステップを有し、
前記ステップｃ）は、最初のフレームの始めから少なくとも２番目のフレームまでの範囲を含む一連のデータサンプルについて前記第１の減算を実行した結果である、前記最小値の立ち下がりエッジを検出するステップを有し、前記最小値は前記立ち下がりエッジで始まり立ち上がりエッジで終わるものであり、
前記ステップｄ）は、前記フレーム同期の開始点の位置を、前記立ち下がりエッジの位置である、と概算するステップを備えている、請求項１に記載のフレーム同期方法。
【請求項８】  前記伝送データサンプル・ストリーム信号はＯＦＤＭフレームを有しており、各々の前記フレームは、同一な第１および第２のデータ・セグメントからなる個別の循環プレフィックスを有しており、前記第１データ・セグメントは前記フレームの有用データ部の最後の部分であって、コピーされて前記有用データ部に付け加えられることで前記第２のデータ・セグメントが作られる、構成において、
ｅ）別種減算窓関数によって定義される前記有用データ部の長さだけ離れている、１つのフレーム内の２点から取り出したデータサンプルについて、第２の減算を行うステップと、
ｆ）少なくとも１つのサンプルに相当するインクリメント値をもって、前記別種減算窓関数をインクリメントするステップと、
ｇ）前記２点から取り出した実質的に同一であるデータサンプルに相当するその減算結果の最小値が検出されるまで、前記ステップｅ）およびｆ）を繰り返すステップと、
ｈ）前記ステップｇ）において検出された前記最小値の正確な位置を、正確なフレーム同期開始点であるものとして得るステップと、を備えている請求項７に記載のフレーム同期方法。
【請求項９】  ステップａ）に先立って、
ｉ）送信器側において、送信すべき前記情報フレーム連続体の中へ、参照フレーム連続体を、所定の規則的な間隔をもって、組み込むステップであって、前記参照フレーム連続体は各々、受信器に知られているデータからなる少なくとも１つの参照フレームを有しており、前記少なくとも１つの参照フレームは、前記受信器に知られている同一のデータを有している、組み込むステップと、
ｊ）前記送信器側において、各フレームを送信させるための前記個別の循環プレフィックスを作り出すステップであって、前記循環プレフィックスは、前記２つの同一のデータ・セグメントからなっており、前記各フレームの最後の部分がコピーされて前記各フレームの最初に付け加えられるか、もしくは、前記フレームの最初の部分がコピーされて前記各フレームの最後に付け加えられるかする、作り出すステップと、を備えている請求項８に記載のフレーム同期方法。
【請求項１０】  ＯＦＤＭチャネルの受信器側で実行される一点対多点ＯＦＤＭチャネルのためのチャネル等化方法であって、
ａ）交互配置された参照フレームの連続体と情報フレームの連続体とを含む、伝送データサンプル・ストリーム信号を受信するステップであって、各々の前記参照フレームは受信器に知られているデータを含んでいる、受信するステップと、
ｂ）ＯＦＤＭフレームである前記伝送データサンプル・ストリーム信号の中の前記参照フレームを検出するステップと、
ｃ）ＯＦＤＭフレームである前記伝送データサンプル・ストリーム信号を、時間領域から周波数領域へと変換するステップと、
ｄ）前記ＯＦＤＭチャネルに起因する歪みによって生じた伝送エラーを訂正するために、前記参照フレーム連続体と受信器に知られているデータとを用いて、訂正ベクトルを作り出すステップと、
ｅ）前記フレームに対する前記ＯＦＤＭチャネルの歪み効果を打ち消すための前記訂正ベクトルを用いて、前記受信器に受信された前記情報フレーム連続体から取り出された各情報フレームを訂正するステップと、を有することを特徴とするチャネル等化方法。
【請求項１１】  前記ステップｃ）に先立って、ε係数を得るために、伝送する参照フレームの対の各々に対して時間領域の相関演算を行うステップをさらに有するとともに、前記ステップｄ）では前記ε係数を用いて、前記ＯＦＤＭチャネルの周波数オフセット効果の訂正を行うことを特徴とする請求項１０に記載のチャネル等化方法。
【請求項１２】  前記交互配置された参照フレームの連続体と情報フレームの連続体は入れ替えられるとともに、フレーム数が予め決められており、かつ、前記ステップｂ）は予め位置を決められたフレーム同期開始点をつねに把握しておくことにより実行される、請求項１０に記載のチャネル等化方法。
【請求項１３】  ＯＦＤＭフレームである前記伝送データサンプル・ストリーム信号の範囲内でフレーム同期開始点の位置を決定するために、フレーム同期処理が前記ステップｂ）に先立って実行されるチャネル等化方法であって、
ｆ）減算窓関数によって定義される所定の数のデータサンプルにより離れている、前記伝送データサンプル・ストリーム信号における異なったフレーム中の２点から取り出したデータサンプルを減算するステップと、
ｇ）少なくとも１つのサンプルに相当するインクリメント値をもって、前記減算窓関数をインクリメントするステップと、
ｈ）前記２点から取り出した実質的に同一であるデータサンプルに相当する、その減算結果の最小値が検出されるまで前記のステップｆ）およびｇ）を繰り返すステップと、
ｉ）前記ステップｈ)の結果にもとづいて、前記フレーム同期の開始点を得るステップと、を備える請求項１２に記載のチャネル等化方法。
【請求項１４】  前記参照フレーム連続体は、連続する３つの参照フレームを有しており、各々の当該参照フレームは同一のデータを有している、請求項１３に記載のチャネル等化方法。
【請求項１５】  前記参照フレームと前記情報フレームは各々、同一な第１および第２のデータ・セグメントからなる個別の循環プレフィックスを有しており、前記第１のデータ・セグメントは前記フレームの有用データ部の一部をなすものであって、コピーされて前記有用データ部に付け加えられることで前記第２のデータ・セグメントが作られること特徴とする、請求項１４に記載のチャネル等化方法。
【請求項１６】  フレーム同期の開始点を概算するために参照フレームの検索を行う構成において、
前記ステップｆ）は、前記減算窓関数で定義されるフレーム総数だけ離れている前記２点から取り出した前記データサンプルについて、第１の減算を行うステップを有し、
前記ステップｈ）は、最初のフレームの始めから少なくとも２番目のフレームまでの範囲を含む一連のデータサンプルについて前記第１の減算を実行した結果である、前記最小値の立ち下がりエッジを検出するステップを有し、前記最小値は前記立ち下がりエッジで始まり立ち上がりエッジで終わるものであり、
前記ステップｉ）は、前記フレーム同期の開始点の位置を、前記立ち下がりエッジの位置である、と概算するステップを備えている、請求項１５に記載のチャネル等化方法。
【請求項１７】  前記伝送データサンプル・ストリーム信号はＯＦＤＭフレームを有しており、各々の前記フレームは、同一な第１および第２のデータ・セグメントからなる個別の循環プレフィックスを有しており、前記第１データ・セグメントは前記フレームの有用データ部の最後の部分であって、コピーされて前記有用データ部に付け加えられることで前記第２のデータ・セグメントが作られる、構成において、
ｊ）別種減算窓関数によって定義される前記有用データ部の長さの分だけ離れている、１つのフレーム内の２点から取り出したデータサンプルについて、第２の減算を実行するステップと、
ｋ）少なくとも１つのサンプルに相当するインクリメント値をもって、前記別種減算窓関数をインクリメントするステップと、
ｌ）前記２点から取り出した実質的に同一であるデータサンプルに相当するその減算結果の最小値が検出されるまで、前記ステップｊ）およびｋ）を繰り返すステップと、
ｍ）前記ステップｌ）において検出された前記最小値の正確な位置を、正確なフレーム同期開始点であるものとして得るステップと、を備えている請求項１６に記載のチャネル等化方法。
【請求項１８】  前記参照フレーム連続体は少なくとも１つの参照フレームを有し、前記ステップｄ）は、前記参照フレーム連続体の中の少なくとも１つの参照フレームを求めるために、前記参照フレーム連続体から取り出した最初の参照フレームを、前記受信器に知られているとともに前記受信器の側に格納されている前記データで除算することと、前記ＯＦＤＭチャネルの周波数応答の逆を意味する、少なくとも１つの等化ベクトルを表す少なくとも１つの商を得ることと、を含む、請求項１０に記載のチャネル等化方法。
【請求項１９】  １つ以上の等化ベクトルを得たときに、全ての等化ベクトルの平均を算出して、平均等化ベクトルを得る、請求項１８に記載のチャネル等化方法。
【請求項２０】  前記参照フレームおよび前記情報フレームは、各々、同一の第１および第２のデータ・セグメントからなる循環プレフィックスを有しており、前記第１のデータ・セグメントは、前記フレームの有用データ部の最後の部分をなすものであり、かつ、コピーされて前記有用データ部に付け加えられることで、前記第２のデータ・セグメントが作られるものであり、
前記ステップｃ）は、ＯＦＤＭフレームの前記伝送データサンプル・ストリーム信号を時間領域から周波数領域に変換するために、前記循環プレフィックスの内部にあるフレーム同期開始点を用いる、請求項１９に記載のチャネル等化方法。
【請求項２１】  全ての等化ベクトルの前記平均の精度を確認するステップを有し、その後、前記平均等化ベクトルと前記参照フレーム連続体の最後の参照フレームとの乗算をするステップであって、前記最後の参照フレームは前記等化ベクトルの先行計算のために用いられたことがないものであり、前記結果は等化もしくは訂正された前記最後の参照フレームを表すものであり、それによって、訂正された参照フレームが前記受信器に知られている前記データと等しくなるはずである、乗算をするステップと、
前記平均等化ベクトルの精度を計算するために、前記結果と前記受信器に知られている前記データとを比較をするステップと、
前記フレーム同期開始点を前記循環プレフィックスの内部で移動させるステップであって、以前のステップを用いて、新しい平均等化ベクトルを作り出すために、新しい位置から読み出された新しいデータを用いるためになされる、移動させるステップを備える、請求項２０に記載のチャネル等化方法。
【請求項２２】  前記参照フレーム連続体は３つの参照フレームを有し、前記参照フレームおよび前記情報フレームは、各々、同一の第１および第２のデータ・セグメントからなる循環プレフィックスを有し、前記第１のデータ・セグメントは前記フレームの有用データ部の一部をなすものであり、コピーされ、前記有用データ部に付け加えられることで、前記第２のデータ・セグメントが作り出されるものであり、前記ステップｃ）は、ＯＦＤＭフレームである前記伝送データサンプル・ストリーム信号を時間領域から周波数領域へと変換するために、前記循環プレフィックス内部にあるフレーム同期開始点を用いる、請求項１２に記載のチャネル等化方法。
【請求項２３】  前記ステップｄ）は、さらに、
前記参照フレーム連続体の最初の参照フレームを、前記受信器に知られていて前記受信器の側に格納されている前記データで、第１の除算するステップであって、それにより、前記ＯＦＤＭチャネルのための第１の等化ベクトルである、前記ＯＦＤＭチャネルの周波数応答の第１の逆を意味する第１の商を得る、第１の除算するステップと、
前記参照フレーム連続体の２番目の参照フレームを、前記受信器に知られていて前記受信器に格納されている前記データで、第２の除算するステップであって、それにより、前記ＯＦＤＭチャネルのための第１の等化ベクトルである、前記ＯＦＤＭチャネルの周波数応答の第２の逆を意味する第２の商を得る、第２の除算するステップと、
前記ＯＦＤＭチャネルの等化ベクトルを意味する、前記第１の商と第２の商の平均値を算出するステップと、
前記等化ベクトルと前記参照フレーム連続体の３番目の参照フレームとの乗算結果を、前記受信器に知られている前記データと比較することによって前記等化ベクトルの精度を確認するステップであって、前記結果は等化された、すなわち、訂正された参照フレームを意味することとなり、それによって、前記訂正され参照フレームが前記受信器に知られている前記データと一致するはずであるような、確認するステップと、
前記循環プレフィックス内部で前記フレーム同期開始点を移動させるステップであって、以前のステップを用いて、新しい平均等化ベクトルを作り出すために、新しい位置から読み出した新しいデータを用いるような、移動させるステップを有する、請求項２２に記載のチャネル等化方法。